(57)【要約】【課題】コネクタを備える電子機器において、コネクタに設けたカバーの操作力を低減させて操作性を向上させつつ、カバーが脱落しにくくすること。【解決手段】バックロック型のコネクタ１０は、ＦＰＣ（配線部材）を挿入する開口部２１および複数のコンタクト４，５を有するハウジング２と、ハウジング２を覆うカバー３を備え、カバー３の操作によりＦＰＣを保持する。各コンタクトは、互いに対向する複数の弾性アームと、該弾性アームと相反する向きに延在してカバー側に突出する係合アームと、該係合アームと対向する対向アームを備え、各アームが連結されている。カバー３は係合アームと対向アームとの間隙にそれぞれ位置する複数のカム部３４，３５を有する。幅方向におけるコネクタ端部の付近に位置するカム部の高さは、コネクタ中央部の付近に位置するカム部の高さと比較して大きい。【選択図】図２
2015153541.tif 000002
【特許請求の範囲】
【請求項１】
配線部材を挿入する開口部および複数のコンタクトを有するハウジングと、該ハウジングを覆うカバーを備え、前記カバーの操作により前記配線部材を保持するコネクタであって、
前記複数のコンタクトは、互いに対向する複数の弾性アーム、および該弾性アームから前記カバーの側に延在する係合アーム、および該係合アームと対向する対向アームを備え、前記複数の弾性アーム、前記係合アーム、前記対向アームが連結部によって連結されており、
前記カバーは前記係合アームと前記対向アームとの間隙にてそれぞれ回動可能に位置する複数のカム部を有し、前記係合アームは前記対向アームに向けて突出して前記カム部に係止される鉤部を有しており、
前記カバーの開状態にて、前記配線部材の挿入方向と直交する方向における前記コネクタの端部の側に配置された前記コンタクトにて前記間隙に位置する前記カム部の高さが、前記コネクタの中央部に配置された前記コンタクトにて前記間隙に位置する前記カム部の高さよりも大きいことを特徴とするコネクタ。
【請求項２】
前記複数のコンタクトは、交互に並設した第１コンタクトおよび第２コンタクトから構成され、
前記第１コンタクトの第１係合アームには前記カバーの第１カム部に係止される第１鉤部が形成され、前記第１コンタクトの第１対向アームには前記第１鉤部に対向する突部が形成されており、前記カバーの開状態にて前記第１カム部の高さが前記第１鉤部と前記突部との間隙よりも大きいことを特徴とする請求項１に記載のコネクタ。
【請求項３】
前記第２コンタクトの第２係合アームには前記カバーの第２カム部に係止される第２鉤部が形成され、前記カバーの開状態にて、前記第２カム部の高さは、当該第２カム部が前記ハウジングに接触する部分と前記第２鉤部との間隙よりも大きいことを特徴とする請求項２に記載のコネクタ。
【請求項４】
前記カム部には面取り形状部が形成されていることを特徴とする請求項１ないし３のいずれか１項に記載のコネクタ。
【請求項５】
前記カバーの開状態にて、前記複数のカム部は、前記コネクタの中央部に近いほどカム高さが小さく、前記コネクタの端部に近いほどカム高さが大きいことを特徴とする請求項１ないし４のいずれか１項に記載のコネクタ。
【請求項６】
前記カム部は、前記カバーの閉状態にて前記係合アームを押圧することにより前記複数の弾性アームの先端部を互いに近づけて前記配線部材を挟持する方向に移動させ、前記カバーの開状態にて前記複数の弾性アームの先端部を離れる方向に移動させることを特徴とする請求項１ないし５のいずれか１項に記載のコネクタ。
【請求項７】
前記カバーの操作部が当該カバーの閉状態で前記ハウジングの中央部に位置することを特徴とする請求項１ないし６のいずれか１項に記載のコネクタ。
【請求項８】
請求項１ないし７のいずれか１項に記載のコネクタと、
前記コネクタの開口部から前記ハウジングに挿入されて前記複数のコンタクトにより保持される配線部材と、を備えることを特徴とする電子機器。
【発明の詳細な説明】
【技術分野】
【０００１】
本発明は、回路基板と接続するコネクタおよびコネクタを備える電子機器に関する。回路基板は、例えば、ＦＰＣ（Ｆｌｅｘｉｂｌｅ  Ｐｒｉｎｔｅｄ  Ｃｉｒｃｕｉｔ）やＦＦＣ（Ｆｌｅｘｉｂｌｅ  Ｆｌａｔ  Ｃａｂｌｅ）などのフレキシブル回路基板である。以下、フレキシブル回路基板などを総称してＦＰＣと略記する。本発明に係るコネクタは、例えば、カバーの操作によってＦＰＣをロックするタイプのＦＰＣ用コネクタである。
【背景技術】
【０００２】
近年のデジタルカメラや携帯電話といった電子機器には、ＦＰＣが使用されることが多い。ＦＰＣは屈曲性を有するため、さまざまな箇所に配置される電子部品間を電気的に接続することが容易である。ＦＰＣを他の基板と接続するためには、ＦＰＣ用コネクタを使用する。プリント基板に表面実装されるコネクタはＦＰＣを保持し、ＦＰＣとプリント基板との間を電気的に接続する。
【０００３】
特許文献１に開示されたコネクタは、複数のコンタクトを操作するためのバックロック型のカバーを備える。バックロック型のＦＰＣ用コネクタは、コンタクト形状が単純で薄型の形状にすることができる。特許文献１には、カバーが容易に脱落しないようにするためのコネクタ構造が開示されており、組み立ての際、ハウジングに対してカバーを圧入する必要がある。
【先行技術文献】
【特許文献】
【０００４】
【特許文献１】特開２００９−２７７３９８号公報
【発明の概要】
【発明が解決しようとする課題】
【０００５】
従来のコネクタは、作業者がカバーを開閉操作する際に負荷が過大になると操作しにくくなり、また負荷に抗する力を得るために作業者が勢いをつけて操作した場合、カバーがハウジングから脱落する可能性がある。このため、カバーに形成されるカム部を十分に大きくすることができない。また、操作力を下げるためにカム部に面取り形状部を形成し、またはＲ面を大きくした場合、カバーが脱落しやすくなる可能性がある。
【０００６】
カバーがハウジングから外れる際には、その端部から中央部に向けて脱落する。コネクタの中央部に比較して、コネクタ端部の付近ではカバーの保持力が小さい。そのため、コネクタ端部にてカバーの保持力を向上させることが求められる。
本発明は、コネクタを備える電子機器において、コネクタに設けたカバーの操作力を低減させて操作性を向上させつつ、カバーが脱落しにくくすることを目的とする。
【課題を解決するための手段】
【０００７】
上記課題を解決するために、本発明に係る装置は、配線部材を挿入する開口部および複数のコンタクトを有するハウジングと、該ハウジングを覆うカバーを備え、前記カバーの操作により前記配線部材を保持するコネクタであって、前記複数のコンタクトは、互いに対向する複数の弾性アーム、および該弾性アームから前記カバーの側に延在する係合アーム、および該係合アームと対向する対向アームを備え、前記複数の弾性アーム、前記係合アーム、前記対向アームが連結部によって連結されている。前記カバーは前記係合アームと前記対向アームとの間隙にてそれぞれ回動可能に位置する複数のカム部を有し、前記係合アームは前記対向アームに向けて突出して前記カム部に係止される鉤部を有する。前記カバーの開状態にて、前記配線部材の挿入方向と直交する方向における前記コネクタの端部の側に配置された前記コンタクトにて前記間隙に位置する前記カム部の高さが、前記コネクタの中央部に配置された前記コンタクトにて前記間隙に位置する前記カム部の高さよりも大きい。
【発明の効果】
【０００８】
本発明によれば、カバーの操作力を低減させて操作性を向上させつつ、カバーが脱落しにくいコネクタ構造を実現することができる。
【図面の簡単な説明】
【０００９】
【図１】本発明の第１実施形態に係るＦＰＣコネクタを説明するために、ＦＰＣの挿入状態を示す斜視図（Ａ）、およびＦＰＣを取り外した状態を示す斜視図（Ｂ）である。
【図２】本発明の第１実施形態に係るＦＰＣコネクタの構成例を説明する断面図である。
【図３】図２とは異なる状態でのＦＰＣコネクタを説明する断面図である。
【図４】図２とは異なる切断面でのＦＰＣコネクタの構成例を説明する断面図である。
【図５】図４とは異なる状態でのＦＰＣコネクタを説明する断面図である。
【図６】本発明の第２実施形態に係るＦＰＣコネクタを示す斜視図である。
【発明を実施するための形態】
【００１０】
以下、図面を参照して本発明の各実施形態を説明する。
［第１実施形態］
本発明の第１実施形態に係る電子機器が具備するコネクタの構成例について、図１から図３を参照して説明する。デジタルカメラや携帯電話等の電子機器では薄型化が要求されるため、バックロック型のＦＰＣコネクタは比較的容易に実装高さを低くできること（低背化）から採用されている。以下ではコネクタ１０において、配線部材が挿入される開口側を前側とし、コネクタ１０の実装面側を底面側と定義して各部の位置関係を説明する。なお、可とう性を有する配線部材としてＦＰＣ１を例示する。
【００１１】
コネクタ１０は、ハウジング２とバックフリップカバー（以下、カバーと略称する）３を備える。ハウジング２は、一方の端部に開口部２１を有する。ＦＰＣ１は、開口部２１から停止壁２４に向って挿入される。開口部２１を形成する、対向した一対の内壁がＦＰＣ１を幅方向にて案内し、ハウジング２の内部に設けた複数の第１コンタクト４および第２コンタクト５に対して位置合わせされる。複数の第１コンタクト４および第２コンタクト５は、ハウジング２の内部において交互に並設配置されている。第１コンタクト４は端から数えて偶数番目に位置し、第２コンタクト５は奇数番目に位置する（図１（Ｂ）参照）。
【００１２】
第１コンタクト４は断面形状が略Ｈ字をした導電性部材であり（図２（Ａ）参照）、第１弾性アーム４２、第１連結部４３、第１係合アーム４４、および第１対向アーム４５を有する。第１連結部４３は第１弾性アーム４２と第１対向アーム４５を連結している。第１係合アーム４４は、第１弾性アーム４２からさらに後方に延在する。第１対向アーム４５は、第１係合アーム４４に対向している。第３弾性アーム４６は第１弾性アーム４２に対し、連結部４３を介して対向して配置されている。第１係合アーム４４の後端部には第１対向アーム４５に向かう第１鉤部４４ａが形成されている。また第１対向アーム４５は、第１係合アーム４４の第１鉤部４４ａに対向して突出した突部４５ｂを有する。第１対向アーム４５の後端部は第１リード部４５ａとしてハウジング２の外部に露出している。
【００１３】
第２コンタクト５は導電性部材であり（図２（Ｂ）参照）、第２固定アーム５１、第２弾性アーム５２、第２連結部５３、第２係合アーム５４、および第２対向アーム５５を有する。第２固定アーム５１はハウジング２に固定されており、その前端部は第２リード部５１ａとしてハウジング２の外部に露出している。第２弾性アーム５２は、第２固定アーム５１に対向している。第２連結部５３は、第２固定アーム５１および第２弾性アーム５２の基端同士を連結している。第２係合アーム５４は、第２弾性アーム５２から後方に延在する。第２対向アーム５５は、第２固定アーム５１から後方に延在し、ハウジング２の底部２２の後端寄りに取り付けられている。第２固定アーム５１に設けられた第４弾性アーム５６は、第２弾性アーム５２と対向して配置されている。第２係合アーム５４の後端部には、第２対向アーム５５に向かう第２鉤部５４ａが形成されている。
【００１４】
ハウジング２の後部を覆うカバー３は、第１カム部３４と第２カム部３５を有する。第１カム部３４は、第１係合アーム４４と第１対向アーム４５との間で回動可能に保持されている。第２カム部３５は、第２係合アーム５４とハウジング２の底部２２との間で回動可能に保持されている。カバー３を開いた状態では、図２（Ａ）に示すように、第３弾性アーム４６に対して第１弾性アーム４２が所定の間隔で離れている。同様にカバー３を開いた状態では、図２（Ｂ）に示すように、第４弾性アーム５６に対して第２弾性アーム５２が所定の間隔で離れている。
【００１５】
ハウジング２に挿入されるＦＰＣ１は、停止壁２４に当接することで挿入深さが規定される。停止壁２４には、複数の第１連結部４３および第２連結部５３が配置されており、櫛の歯状に極間壁が形成されている。ＦＰＣ１をコネクタ１０の開口部２１に対して挿抜する際に殆んど力を必要としないＺＩＦ（Zero Insertion Force）コネクタが構成されている。
【００１６】
次に、第１コンタクト４および第２コンタクト５、カバー３について詳説する。
第１コンタクト４の第１対向アーム４５は、ハウジング２の底部２２に係止されている。また、第２コンタクト５の第２固定アーム５１および第２対向アーム５５は、ハウジング２の底部２２に係止されている。このように、第１コンタクト４および第２コンタクト５は、それらの一部がハウジング２に固定されている。
【００１７】
第１コンタクト４の第１弾性アーム４２および第３弾性アーム４６と、第２コンタクト５の第２弾性アーム５２および第４弾性アーム５６は、互いに向かい合う方向に接触力を加える、いわゆる音叉形コンタクトとなっている。第１弾性アーム４２の前端部には、接点となる突起４２ｓが設けられ、第３弾性アーム４６の前端部には、接点となる突起４６ｓが設けられており、突起同士が対向している。同様に、第２弾性アーム５２の前端部には、接点となる突起５２ｓが設けられ、第４弾性アーム５６の前端部には、接点となる突起５６ｓが設けられており、突起同士が対向している。
【００１８】
第１コンタクト４の第１係合アーム４４は、第１弾性アーム４２と相反する向きにて片持ち梁状に突出している。カバー３の第１カム部３４は、一端部が円弧状の断面形状で形成された略直角三角形のカム形状部を有する。第１カム部３４は、カバー３を閉じる際（図２（Ｃ）参照）、第１係合アーム４４を第１対向アーム４５から離反する方向（図２の上方）に押圧する。また第１カム部３４には、カバー３を開く際（図２（Ａ）参照）、第１係合アーム４４が追従する第１カム面３４ｃが設けられている。第１カム面３４ｃは第１カム部３４の輪郭形状の一部をなす。
【００１９】
第２コンタクト５の第２係合アーム５４は、第２弾性アーム５２と相反する向きにて片持ち梁状に突出している。カバー３の第２カム部３５は、一端部が円弧状の断面形状で形成された略直角三角形のカム形状部を有する。第２カム部３５は、カバー３を閉じる際（図３（Ｂ）参照）、第２係合アーム５４をハウジング２の底面２ａから離反する方向（図３の上方）に押圧する。また第２カム部３５には、カバー３を開く際（図２（Ｂ）参照）、第２係合アーム５４が追従する第２カム面３５ｃが設けられている。第２カム面３５ｃは第２カム部３５の輪郭形状の一部をなす。
【００２０】
ハウジング２に対してカバー３を閉じると、第１カム面３４ｃ，第２カム面３５ｃが第１係合アーム４４，第２係合アーム５４をそれぞれ押圧する。これにより第１弾性アーム４２および第２弾性アーム５２が傾動する。つまり、第１連結部４３が弾性変形して、第１弾性アーム４２の先端部の突起４２ｓが第３弾性アーム４６の先端部の突起４６ｓに近づき、第３弾性アーム４６に対して閉じる方向に移動する。よって、カバー３の閉状態でコネクタ１０はＦＰＣ１を挟持可能な状態となる。同様に、第２連結部５３が弾性変形して、第２弾性アーム５２の先端部の突起５２ｓが第４弾性アーム５６の先端部の突起５６ｓに近づき、第４弾性アーム５６に対して閉じる方向に移動する。よってカバー３の閉状態でコネクタ１０はＦＰＣ１を挟持可能な状態となる。
【００２１】
また、ハウジング２に対してカバー３を開くと、第１係合アーム４４および第２係合アーム５４は弾性力によって復帰する。つまり、第１係合アーム４４は第１対向アーム４５に近づく方向に移動し、第２係合アーム５４は第２対向アーム５５に近づく方向に移動する。その結果、第１弾性アーム４２および第２弾性アーム５２の先端部は、第３弾性アーム４６および第４弾性アーム５６に対してそれぞれクリアランスが増加する方向に開くので、作業者は開口部２１からＦＰＣ１を無負荷で挿入できる。
【００２２】
本実施形態では、第１コンタクト４の突起４２ｓと突起４６ｓの少なくとも一方を、ＦＰＣ１と電気的に接続される接点とすることができる。同様に、第２コンタクト５の突起５２ｓと突起５６ｓの少なくとも一方を、ＦＰＣ１と電気的に接続される接点とすることができる。例えば、突起４２ｓと突起５２ｓを接点とする場合、コネクタ１０は片面ＦＰＣ用のコネクタとすることができる。あるいは、突起４６ｓと突起５６ｓを接点としてもよい。
【００２３】
第１対向アーム４５は後端部に第１リード部４５ａを有し、第２固定アーム５１は前端部に第２リード部５１ａを有する。第１リード部４１ａおよび第２リード部５１ａの底面はそれぞれプリント基板（不図示）にハンダ接合される。例えば、コネクタ１０はプリント基板に表面実装されるプリント基板用コネクタである。
【００２４】
次に、コネクタ１０におけるカバー３の脱落防止作用について、図２（Ａ）および（Ｂ）、並びに図４（Ａ）および（Ｂ）を参照して説明する。図２（Ａ）および（Ｂ）は、図１（Ｂ）に示すコネクタ端部Ｅの付近にて、カバー３を開いた状態でのコネクタ１０を示す断面図である。また、図４（Ａ）および（Ｂ）は、図１（Ｂ）に示すコネクタ中央部Ｃの付近にて、カバー３を開いた状態でのコネクタ１０を示す断面図である。
【００２５】
カバー３は、その開状態において脱落しやすくなる。カバー３がハウジング２から脱落しないための防止対策として、各コンタクトの第１鉤部４４ａ，第２鉤部５４ａおよび突部４５ｂが設けられている。図２（Ａ）に示すように、カバー３の開状態での第１カム部３４の高さＸは、第１鉤部４４ａと突部４５ｂとの間隙Ａ１よりも大きい。また、図２（Ｂ）に示すように、カバー３の開状態での第２カム部３５の高さＸは、第２カム部３５がハウジング２の底部２２と接触する部分（接触面部２２ａ）と第２鉤部５４ａとの隙間Ａ２よりも大きい。これによりカバー３の脱落を防止することができる。つまり、図２（Ａ）および（Ｂ）に示すように、コネクタ端部Ｅの付近では、カム部３４，３５のカム高さＸを隙間Ａ１やＡ２に対してそれぞれ大きく設定することで、カバー３の脱落を防止できる。同様に、図４（Ａ）に示すように、カバー３の開状態においてコネクタ中央部Ｃの付近の第１カム部３４のカム高さＹは、第１鉤部４４ａと突部４５ｂとの間隙Ａ３よりも大きい。図４（Ｂ）に示すように、第２カム部３５のカム高さＹは、第２カム部３５がハウジング２の底部２２に接触する接触面部２２ａと第２鉤部５４ａとの隙間Ａ４よりも大きい。したがって、カバー３の脱落を防止できる。
【００２６】
本実施形態では、コネクタ端部Ｅの付近に位置するカム部３４，３５のカム高さＸが、コネクタ中央部Ｃの付近に位置するカム部３４、３５のカム高さＹと比較して大きくなるように設計されている（Ｘ＞Ｙ）。これにより、作業者がカバー３を仮にコネクタ１０の端部寄りで操作したとしても、十分な強度を持たせることができ、コネクタ端部Ｅから脱落し始める事がない。また作業者がカバー３の中央部付近で操作しても、コネクタ中央部Ｃの付近では多数のカム部３４，３５並びに多数の鉤部４４ａ，５４ａおよび突部４５ｂの係合により、全体としてカバー３の脱落を防止できる。
【００２７】
コネクタ中央部Ｃの付近のカム部３４，３５のカム高さＹについては、隙間Ａ３，Ａ４に対して大きく設定しているが、コネクタ端部Ｅの付近のカム部３４，３５のカム高さＸよりは小さくなっている。すなわち、多数のカム部３４，３５のカム高さＹを必要最小限とすることで、カバー３の操作力を低減できる。
本実施形態に係るコネクタは、配線部材を挿入する開口部および複数のコンタクトを有するハウジングを備え、ハウジングを覆うカバーの操作により、配線部材を保持するバックロック型のコネクタである。本実施形態によれば、カバーの開閉操作時の操作力を低減させて操作性を向上させつつ、カバーが脱落しにくいコネクタを実現できる。すなわち、カバーの脱落を回避しつつ、容易に操作できるので、作業者はカバーの開閉操作時に余計な勢いをつける必要がなくなり、操作性が改善される。
【００２８】
［変形例］
次に、第１実施形態の変形例を説明する。変形例にて第１実施形態と同様の部分については既に使用した符号を用いることで、それらの詳細な説明を省略し、以下では相違点を説明する。なお、このような説明の省略の仕方は後述の実施形態でも同様である。
【００２９】
図５（Ｂ）に示す第１カム部３４は、第１係合アーム４４と第１対向アーム４５との間隙Ａ５に位置する。図５（Ｃ）に示す第２カム部３５は、第２係合アーム５４とハウジング２の底部２２との間隙Ａ６に位置する。第１係合アーム４４の第１鉤部４４ａ，第２係合アーム５４の第２鉤部５４ａの付近に位置するカム部３４，３５には、Ｃ面やＲ面などの面取り形状部３４Ｒ，３５Ｒがそれぞれ形成されている。カム部３４，３５にＣ面やＲ面をつけることで、カバーの開閉操作時の操作力を低減させることができる。コネクタ端部Ｅの付近では、図３（Ｂ）および（Ｃ）のように、カバー３にかかる負荷は大きくなるが、カム部は少数であるため操作力の増加は最小限に抑えられる。つまり、作業者は、より小さい操作力でカバー３を操作することができ、カバー３の脱落防止機能が発揮される。
【００３０】
また、コネクタ端部Ｅの付近に位置するカム部３４，３５のカム高さＸと、コネクタ中央部Ｃの付近に位置するカム部３４，３５のカム高さＹとの大小関係（Ｘ＞Ｙ）については、以下の形態がある。
（１）最も端（両端）に位置するコンタクトについてのみ、対応するカム部３４，３５のカム高さＸを、その他のカム部のカム高さＹよりも大きく設定する形態。
（２）配線部材の挿入方向と直交する幅方向の中央部に近いほどカム部３４，３５のカム高さＹを小さくし、端（両端）に近づくにつれてカム部３４，３５のカム高さＸを次第に大きく設定する形態。
いずれの形態においても、カバー３の形状を修正することで対応可能である。
【００３１】
［第２実施形態］
次に、本発明の第２実施形態を説明する。
図６に示すコネクタ１０は、コネクタ中央部Ｃ（ハウジング２の上面部）の付近にカバー操作部３ａを有する。カバー３に設けたカバー操作部３ａは、作業者の手指がカバー３の中央部しか触れないようにするために形成される。つまり、作業者はコネクタ端部Ｅの付近では、カバー３の操作ができないか、または操作しにくくなる。このことにより、コネクタ端部Ｅの付近ではカバー３の開閉操作時の負荷がかかりにくい。よって、バックロック型のカバーが脱落しないように改善することができる。
【符号の説明】
【００３２】
１  ＦＰＣ
２  ハウジング
３  カバー
４，５  コンタクト
２１  開口部
３４，３５  カム部
４２，４６，５２，５６  弾性アーム
４３，５３  連結部
４４，５４  係合アーム
４５，５５  対向アーム
【図１】
2015153541.tif 000003
【図２】
2015153541.tif 000004
【図３】
2015153541.tif 000005
【図４】
2015153541.tif 000006
【図５】
2015153541.tif 000007
【図６】
2015153541.tif 000008